(57)【要約】      （修正有）【課題】２重カートリッジの遮光性及び防塵性に関する利点を残しつつ、２ヘッド方式にも対応できるディスクカートリッジの構造を提供するものである。【解決手段】ディスクカートリッジは、アウターカートリッジ６と、アウターカートリッジの内側に収納され、内部にホログラム記録媒体を回転可能に収納するインナーカートリッジ５と、アウターカートリッジとインナーカートリッジの間に設けられ、ディスクカートリッジの開口部を開閉するためのシャッター４と、を備えている。そして、開口部は、スピンドル挿入孔７ｂ及びそれとは別に設けられたトラッキングエリア検出用窓２１を含んでいる。また、トラッキングエリア検出用窓は、スピンドル挿入孔のカートリッジ中心近傍に設けられて、シャッターが開いているときにのみ露出状態となる。好適には、トラッキングエリア検出用窓は、スピンドル挿入孔の中心線から４０乃至５０度の角度を持って設けられている。【選択図】図１
2008210429.tif 000002
【特許請求の範囲】
【請求項１】
トラッキングエリア検出用ヘッドと記録・再生用ヘッドが別々に設けられたホログラム情報記録再生装置で使用する、ディスクカートリッジであって、
アウターカートリッジと、
前記アウターカートリッジの内側に収納され、内部にホログラム記録媒体を回転可能に収納するインナーカートリッジと、
前記アウターカートリッジと前記インナーカートリッジの間に設けられ、ディスクカートリッジの開口部を開閉するためのシャッターと、を備え、
前記開口部は、前記記録・再生用ヘッド及びスピンドル挿入孔と、それとは別に設けられたトラッキングエリア検出用窓を含み、
前記トラッキングエリア検出用窓は、カートリッジ中心近傍に設けられて、前記シャッターが開いているときにのみ露出状態となることを特徴とするディスクカートリッジ。
【請求項２】
前記トラッキングエリア検出用窓は、前記記録・再生用ヘッド及びスピンドル挿入孔の中心線から４０乃至５０度の角度を持って設けられていることを特徴とする請求項１に記載のディスクカートリッジ。
【請求項３】
前記トラッキングエリア検出用窓は、前記ディスクカートリッジにおいて、ディスクドライブのスピンドルが当接する面側に設けられていることを特徴とする請求項１又は２に記載のディスクカートリッジ。
【請求項４】
前記トラッキングエリア検出用窓は、トラッキングサーボ用レーザ光の径よりも大きい円形をなしていることを特徴とする請求項１乃至３の何れか１項に記載のディスクカートリッジ。
【請求項５】
前記トラッキングエリア検出用窓は、前記シャッターの摺動方向側の前記スピンドル挿入孔の近傍に設けられ、
前記シャッターは、摺動方向側とは反対側のエッジ部に切り欠きが設けられ、
前記切り欠きによって、前記シャッターが全開しているときに、前記トラッキングエリア検出用窓が露出状態となることを特徴とする請求項１乃至４の何れか１項に記載のディスクカートリッジ。
【発明の詳細な説明】
【技術分野】
【０００１】
本発明は、光ディスクなどの情報記録媒体を回転可能に収納して記録再生を行うためのディスクカートリッジの構造であって、特に、ホログラム記録再生に好適なディスクカートリッジの構造に関する。
【背景技術】
【０００２】
デジタルホログラム記録は、従来の光ディスクとは異なり、記録光と参照光の干渉を利用して、記録層の厚み方向の干渉点に記録し、参照光で干渉点に記録された情報を読み出す方式であり、一回の光照射で大量のデータが記録できる点と相俟って、大容量かつ高速の情報記録/再生が可能である。
【０００３】
従来のホログラム記録に用いる記録媒体は、ニオブ酸リチウム単結晶のようなフォトリフラクティブ結晶と呼ばれる無機単結晶が主体であり、高価格かつ加工困難という問題点を有していた。これに対し、光重合性材料をベースとした有機系ホログラム材料は、上記問題点に対し劇的な改善が期待でき、近年研究が進められている。この有機系のホログラム記録用材料には、記録材料である光重合性材料をその支持媒体となる高分子マトリックスに混合・分散したものが用いられ、記録媒体作成にあたっては、これを溶剤に希釈して塗料とし基板上に塗布するか、あるいはこれをフィルム状に加工して基材に貼付する方法が取られている。
【０００４】
ホログラム記録においてはレーザなどの記録光により記録を行うため、記録を行うまでにいかに遮光して未記録の状態で保存しておくかが重要である。例えば特許文献１では、インナーカートリッジとアウターカートリッジの二重構造からなり、遮光性及び防塵性を有する、ホログラムディスク用カートリッジが開示されている。そして、このカートリッジに収納されているホログラム記録媒体に対して情報の記録・再生を行う場合には、シャッターを開いて部分的にホログラム記録媒体を露出させて、記録・再生ヘッドからの光を記録媒体に対して照射することにより、記録・再生動作を実現する。
【０００５】
ところで、記録再生動作の際には、トラッキングサーボをしなければならないが、このトラッキングサーボについても記録再生ヘッドを用いる場合（１ヘッド方式）と、記録再生ヘッドとは別にトラッキングサーボ用ヘッドを設ける場合（２ヘッド方式）がある。
【０００６】
【特許文献１】特開２００５−２４３１１８号公報
【発明の開示】
【発明が解決しようとする課題】
【０００７】
しかしながら特許文献１記載のカートリッジに対して２ヘッド方式を適用すると、記録培媒体の記録領域の最内周部ギリギリまで情報を記録し、そこに記録された情報を再生しようとする場合、トラッキングサーボ用ヘッドと記録・再生ヘッドが互いに干渉する可能性がある。
【０００８】
そこで、記録再生ヘッドの可能範囲に影響を与えない場所においてトラッキングサーボ用ヘッドを配置するのが望ましく、１つの実現可能な案としては、シャッターによる開口部を大きく取ることが考えられる。
【０００９】
ところが、開口部を大きく取ると、逆に遮光性や防塵性に影響を与えることになってしまう。
【００１０】
本発明はこのような状況に鑑みてなされたものであり、二重カートリッジの遮光性及び防塵性に関する利点を残しつつ、２ヘッド方式にも対応できるディスクカートリッジの構造を提供するものである。
【課題を解決するための手段】
【００１１】
上記課題を解決するために、本発明によるディスクカートリッジは、トラッキングエリア検出用ヘッドと記録・再生用ヘッドが別々に設けられたホログラム情報記録再生装置で使用する、ディスクカートリッジであって、アウターカートリッジと、アウターカートリッジの内側に収納され、内部にホログラム記録媒体を回転可能に収納するインナーカートリッジと、アウターカートリッジとインナーカートリッジの間に設けられ、ディスクカートリッジの開口部を開閉するためのシャッターと、を備えている。そして、開口部は、記録・再生ヘッド及びスピンドル挿入孔と、それとは別に設けられたトラッキングエリア検出用窓を含んでいる。また、トラッキングエリア検出用窓は、スピンドル挿入孔のカートリッジ中心近傍に設けられて、シャッターが開いているときにのみ露出状態となる。好適には、トラッキングエリア検出用窓は、記録再生ヘッド及びスピンドル挿入孔の中心線から４０乃至５０度の角度を持って設けられている。
【００１２】
また、トラッキングエリア検出用窓は、ディスクカートリッジにおいて、ディスクドライブのピンドルが当接する面側に設けられ、トラッキングサーボ用レーザ光の径よりも大きい円形をなしていることが望ましい。
【００１３】
さらに、トラッキングエリア検出用窓は、シャッターの摺動方向側の前記スピンドル挿入孔の近傍に設けられ、シャッターは、摺動方向側とは反対側のエッジ部に切り欠きが設けられている。この切り欠きによって、シャッターが全開しているときに、トラッキングエリア検出用窓が露出状態となる。つまり、切り欠きが設けられていなければ、トラッキング検出用窓は、完全には露出状態とはならない。
【００１４】
さらなる本発明の特徴は、以下本発明を実施するための最良の形態および添付図面によって明らかになるものである。
【発明の効果】
【００１５】
本発明によれば、記録再生ヘッドとトラッキングサーボ用ヘッドが別々に設けられた２ヘッド方式であっても、それら２つのヘッドが干渉することなく、記録領域の最内周ギリギリまで情報の記録再生を行うことができ、遮光性及び防塵性に優れた、ディスクカートリッジを提供することができる。
【発明を実施するための最良の形態】
【００１６】
以下、添付図面を参照して本発明の実施形態について説明する。ただし、本実施形態は本発明を実現するための一例に過ぎず、本発明を限定するものではないことに注意すべきである。また、各図において共通の構成については同一の参照番号が付されている。
【００１７】
＜ディスクカートリッジの構成＞
図１は本実施形態に係るディスクカートリッジの分解斜視図、図２はそのディスクカートリッジの正面図、図３はそのディスクカートリッジの裏面図である。
【００１８】
本発明の実施形態に係るディスクカートリッジは、カートリッジケース１と、スライダー２と、ロック部材３と、シャッター４とから主に構成されている。
【００１９】
前記カートリッジケース１は、インナー上ハーフ５ａとインナー下ハーフ５ｂとからなるインナーカートリッジ５と、そのインナーカートリッジ５の厚さ方向の外側に配置されたアウター上ハーフ６ａとアウター下ハーフ６ｂとからなるアウターカートリッジ６の二重ケース構造になっている。
【００２０】
前記アウター上ハーフ６ａには図１ならびに図２に示されているように、前方のほぼ中央にアウター上ヘッド挿入孔７ａが形成され、前記アウター下ハーフ６ｂには図１ならびに図３に示されているように、前方のほぼ中央にアウター下ヘッドおよびスピンドル挿入孔７ｂが、それぞれ形成されている。
【００２１】
また図１に示すようにアウター下ハーフ６ｂの内面には、前記アウター下ヘッドおよびスピンドル挿入孔７ｂを内側に含んだ広さで一段と低くなった下凹部１０ｂが設けられ、同様にアウター上ハーフ６ａの内面にも図示しない下凹部１０ａが設けられている。この下凹部１０ａ、１０ｂの外形とほぼ対応するように図１に示す如くインナー上ハーフ５ａ及び下ハーフ５ｂにも上凹部１１ａ、１１ｂが設けられている。この下凹部１０ａ、１０ｂと上凹部１１ａ、１１ｂによってインナー上ハーフ５ａとアウター上ハーフ６ａの間、およびインナー下ハーフ５ｂとアウター下ハーフ６ｂの間にシャッター４の上下平板部４ａ、４ｂが摺動する隙間が形成されるとともに、シャッター４の摺動範囲が規制されている。
【００２２】
さらに、インナー下ハーフ５ｂには、トラッキングサーボ用レーザ光を、収納されるホログラム記録媒体に照射するためのトラッキングエリア検出用窓２０が設けられている。また、アウター下ハーフ６ｂにも、インナー下ハーフ５ｂのトラッキングエリア検出用窓２０に対向する位置にトラッキングエリア検出用窓２１が設けられている。
【００２３】
アウター上ハーフ６ａおよびアウター下ハーフ６ｂは夫々同じ厚みで構成するが、インナー上ハーフ５ａおよびインナー下ハーフ５ｂは厚みの比率を異ならせる。このように構成することにより、図１２に示すようにインナーカートリッジとアウターカートリッジに段差を設けることで、遮光性と防塵性を高める構造にすることができる。
【００２４】
図４及び５は、カートリッジケース１からアウター下ハーフ６ｂを外し、インナー下ハーフ５ｂとシャッター４を露出された場合の様子を示す図である。図４及び５は、本発明の特徴を良く表している。シャッター４が閉じているとき（図４参照）には、トラッキングエリア検出用窓２０はシャッターによって隠れている。よって、ドライブに装着されていないときには、シャッター４が光や塵を遮断し、収納されるホログラム記録媒体が感光し、或いは塵によって傷つくことが防止される。また、図５に示されるように、シャッター４が開いているときには、インナー下ハーフ５ｂに設けられたスピンドル挿入孔７ｂとその近傍にトラッキングエリア検出用窓２０が現れる。トラッキングエリア検出用窓２０は、収納されるホログラム記録媒体のトラッキングエリア２２（図中ではホログラム記録媒体は収納されていないので位置のみ示されている）のほぼ真上に位置するようになっている。また、トラッキングエリア検出用窓２０は、開口部の中心線Ｃから時計回りにθ度の位置に配置すれば、現状のシャッターや開口部の大きさを変更せずに対応することができる。シャッター４とインナー下ハーフ５ｂとの重複部分のサイズｘ及びｙが同一であれば、θは４５度となる。尚、ｘ及びｙのサイズが図５に示される関係のときには４１度であるが、θは、概ね４０度≦θ≦５０度の範囲にあればよい。また、トラッキングエリア検出用窓２０のスペースを確保するために、シャッター４には切り欠き部４１が設けられている。
【００２５】
以上のように、トラッキングエリア検出用窓２０を、シャッター４が閉じているときにはシャッター４によって隠し、シャッター４が開いているときにのみ露出させることによって、カートリッジケース１の開口部を最小に保ったまま、２ヘッド方式にも対応できるディスクカートリッジを提供することができる。なお、トラッキングエリア検出用窓２０は、中心線Ｃから反時計回りにθ度の位置に設けるようにしてもよい。このときにはシャッター４に切り欠き部４１は不要である。ただし、時計回りにθ度の位置に設けた方が、ホログラム記録媒体を遮光し、防塵するにはより都合がよい。
【００２６】
＜スライダーとシャッターの取り付け＞
シャッター４は、上下平板部４ａ、４ｂと連結部４ｃから構成される。シャッター４はスライダー２に組み合わされ、インナー上ハーフ５ａに各々設けられたスライダー用レールＡとインナー下ハーフ５ｂに設けられたスライダー用レールＢに沿って摺動する。
【００２７】
シャッター４は、スライダー２に設けられたスライダー位置決め突起２ａと、シャッター４の連結部４ｃに設けられた突起２ａを嵌めるための孔４ｄによって図２に示す正面方向に対して左右方向に位置規制される。またアウターカートリッジ６によって図２に示す正面方向に対して上方向の位置が規制される。
【００２８】
シャッター４の連結部４ｃは、アウター上ハーフ６ａとアウター下ハーフ６ｂに設けられたアウター上ヘッド挿入孔７ａとアウター下ヘッドおよびスピンドル挿入孔７ｂの端部を形成するブリッジ８ａ、８ｂにより覆われており、露出部がほとんどない。また、シャッターが開状態のときは、インナーカートリッジ５とアウターカートリッジ６の間にスライドして、シャッター全体が表面に露出しない構造となる。このような構造をとることにより、不用意にシャッターが開くのを防止することができる。
【００２９】
＜ロック機構＞
図１３は、シャッター４のロック機構を示す図である。二重カートリッジは、スライダー２と契合するロック部材３と、インナーカートリッジ５とアウターカートリッジ６とを備えている。そして、シャッター４とシャッター４を摺動可能とするために前記シャッター４が組み付けられたスライダー２が全閉の位置でロックされるようになっている。ロック部材３の回動部中心がインナーカートリッジ５内に設けられ、アウターカートリッジ６にロック部材３の規制部が設けられる。これにより、スライダー２がシャッター４開閉のために摺動する面にインナーカートリッジ５とアウターカートリッジ６の不用意な嵌め合い段差が発生しないようになる。また、ロックが解除されシャッター４がスライドする際に、スライダー２がインナーカートリッジ５とアウターカートリッジ６の嵌め合い段差によるスライドへの干渉を考慮する必要がなくなるため、スライダーの形状用途に合わせて自由に設計することが可能になる。
【００３０】
＜誤挿入防止機構＞
本発明の実施形態に係るディスクカートリッジを記録再生する図示しないドライブには、シャッター開閉アーム１３と誤挿入防止アーム１４が設けられている（図９乃至１１参照）。シャッター４を開閉させるためにカートリッジケース１に組み込まれているスライダー２に当接する位置にシャッター開閉アーム１３が設けられており、またシャッター４全開時に、シャッター開動作を行わなかったもう一方のシャッター開閉アーム１３と誤挿入防止アーム１４が入り込むアーム逃がし凹形状が設けられている。さらに、片面仕様のカートリッジケース１には逆方向挿入時に誤挿入防止アーム１４が引っ掛る凹形状の逆方向挿入防止ストッパーが設けられている。
【００３１】
ここでは便宜上、カートリッジケース１を正方向の挿入方向に対して右下側に設けられたシャッター開閉アーム１３を開閉アームＡ１３ａ、左上側に設けられたシャッター開閉アーム１３を開閉アームＢ１３ｂと称する。
【００３２】
図９に片面仕様のカートリッジケースのシャッター閉状態を示す。片面仕様のカートリッジケースが挿入されたとき、図１０に示すように、正方向の挿入では開閉アームＡ１３ａはシャッター４を開動作し、開閉アームＢ１３ｂおよび逆挿入防止アーム１４はカートリッジケース１のドライブ挿入方向の面を滑り、シャッター４全開時付近でアーム逃がし凹形状に入り込みシャッター４が全開する。逆方向への挿入時は、図１１に示すように、誤挿入防止アーム１４が誤挿入防止ストッパーに引っ掛りそれ以上挿入できない。
【００３３】
両面仕様のカートリッジケース１が挿入されたときは、正方向の挿入時では片面仕様のカートリッジケース挿入と同様に開閉アームＡ１３ａはシャッター４を開動作し、開閉アームＢ１３ｂおよび誤挿入防止アーム１４はカートリッジケース１のドライブ挿入方向の面を滑り、シャッター４全開時付近でアーム逃がし凹形状に入り込みシャッター４が全開する。逆方向の挿入は、開閉アームＢ１３ｂがシャッター４を開動作し、開閉アームＡ１３ａおよび誤挿入防止アーム１４はカートリッジケース１のドライブ挿入方向の面を滑り、シャッター４全開時付近でアーム逃がし凹形状に入り込みシャッター４が全開する。
【００３４】
＜各部材の材料について＞
カートリッジケースに用いる材料は、強度、成形性を考慮し、ポリカーボネート(PC)樹脂、アクリロニトリル・ブタジエン・スチレン(ABS)樹脂が望ましく、遮光性を発揮させるため、顔料、染料、カーボン混入などによる、黒色着色。または、顔料、染料、による青色、茶色などの暗色系で着色。または、本ホログラムメディアの安全光で有る、赤色を顔料、染料、によって着色されている。もしくは、アルミフィラーなど、光を反射させる効果の有る、金属性の添加剤を混入させた前期樹脂を使用する。もしくは、表面、裏面をラッカー系塗料、水性塗料、エナメル系塗料で、黒色の塗装をして有る。または、青色、茶色などの暗色系で塗装をして有る。または、本ホログラムメディアの安全光で有る、赤色で塗装して有ることが望ましい。
【００３５】
また、スライダーはカートリッジケース内を、カートリッジケースに勘合して、摺動するため、カートリッジケースの材料と、別材料となる、ポリアセタール(POM)樹脂、を使用することが望ましく、遮光性を考慮して、同様に黒色の着色。または、青色、茶色など暗色系の着色。または、本ホログラムメディアの安全光で有る、赤色の、着色がして有る。もしくは、表面を、ラッカー系塗料、水性塗料、エナメル系塗料で、黒色の塗装をして有る。または、青色、茶色などの暗色系で塗装をして有る。または、本ホログラムメディアの安全光で有る、赤色で塗装して有ることが望ましい。
また、ロック部材はヒンジ特性が要求されることから、ポリアセタール(POM)樹脂を使用することが望ましい。
【００３６】
また、シャッターは強度、成形性を考慮して、ポリカーボネート(PC)樹脂、アクリロニトリル・ブタジエン・スチレン(ABS)樹脂、ポリアセタール(POM)樹脂、の樹脂材料を使用することも可能で有るが、シャッターは薄型化を要求されるカートリッジ内を摺動することから、薄肉化が容易で、薄肉でも遮光性が維持しやすいステンレススチール(SUS)材、アルミ合金材を使用することが望ましい。
【００３７】
シャッターに樹脂材料を使用する場合は、遮光性を発揮させるため、顔料、染料、カーボン混入などによる、黒色着色。または、顔料、染料、による青色、茶色などの暗色系で着色。または、本ホログラムメディアの安全光で有る、赤色を顔料、染料、によって着色されている。もしくは、アルミフィラーなど、光を反射させる効果の有る、金属性の添加剤を混入させた前期樹脂を使用する。もしくは、表面、裏面をラッカー系塗料、水性塗料、エナメル系塗料で、黒色の塗装をして有る。または、青色、茶色などの暗色系で塗装をして有る。または、本ホログラムメディアの安全光で有る、赤色で塗装して有ることが望ましい。
【００３８】
シャッターに金属材料を使用する場合は、そのまま未塗装でも良いが、さらに遮光性を発揮させるため、裏面側を、顔料、染料、などによる、黒色着色。または、顔料、染料、による青色、茶色などの暗色系で着色。または、本ホログラムメディアの安全光で有る、赤色を顔料、染料、によって、着色されている、ことがより望ましい。
【００３９】
＜まとめ＞
以上のように、本発明の実施形態では、トラッキングエリア検出用ヘッドと記録・再生用ヘッドが別々に設けられたホログラム情報記録再生装置で使用する、二重構造のディスクカートリッジが提供される。つまり、本実施形態のディスクカートリッジは、アウターカートリッジと、アウターカートリッジの内側に収納され内部にホログラム記録媒体を回転可能に収納するインナーカートリッジと、アウターカートリッジとインナーカートリッジの間に設けられ、ディスクカートリッジの開口部を開閉するためのシャッターと、を備えている。そして、その開口部は、スピンドル挿入孔及びそれとは別に設けられたトラッキングエリア検出用窓を含んでいる。また、トラッキングエリア検出用窓は、スピンドル挿入孔のカートリッジ中心近傍に設けられて、シャッターが開いているときにのみ露出状態となる。好適には、トラッキングエリア検出用窓は、スピンドル挿入孔の中心線から４０乃至５０度の角度を持って設けられている。このようにすることにより、２ヘッド方式であっても、シャッターの開口部の面積（かつシャッターの面積）を最小にすることができる。そして、２ヘッド方式であっても２つのヘッドが干渉することなく、記録領域の最内周ギリギリまで情報の記録再生を行うことができ、遮光性及び防塵性に優れた、ディスクカートリッジが実現できる。
【００４０】
なお、本発明の場合、トラッキングパターンは、ホログラム記録媒体の最内周に設けられている。このため、トラッキングエリア検出用窓は、カートリッジのスピンドル挿入孔付近に設けられている。また、トラッキングエリア検出用窓は、ディスクカートリッジにおいて、ディスクドライブのピンドルが当接する面側に設けられ、トラッキングサーボ用レーザ光の径よりも大きい円形を成していることが望ましい。このように、トラッキングエリア検出用窓は、スピンドル挿入孔とは別に、かつ非常に小さく設けられているので、カートリッジの遮光性を高めるのに有効である。
【００４１】
さらに、上述のように、トラッキングサーボ用ヘッドと記録・再生用ヘッドとが干渉しないので、記録・再生用ヘッド（ドライブ）の設計の自由度が増すという効果もある。
【００４２】
トラッキングエリア検出用窓は、シャッターの摺動方向側の前記スピンドル挿入孔の近傍に設けられ、シャッターは、摺動方向側とは反対側のエッジ部に切り欠きが設けられている。この切り欠きによって、シャッターが全開しているときに、トラッキングエリア検出用窓が露出状態となる。つまり、切り欠きが設けられていなければ、トラッキング検出用窓は、完全には露出状態とはならない。このようにすることによって、カートリッジに設けられたスピンドル挿入孔のエッジ部分を有効に活用できる。
【図面の簡単な説明】
【００４３】
【図１】本発明の実施形態に係るディスクカートリッジの分解斜視図である。
【図２】本発明の実施形態に係るディスクカートリッジの正面図である。
【図３】本発明の実施形態に係るディスクカートリッジの裏面図である。
【図４】ディスクカートリッジからアウター下ハーフを取り去り、インナー下ハーフ５ｂとシャッター４を露出された場合の様子（シャッターが閉じた状態）を示す図である。
【図５】ディスクカートリッジからアウター下ハーフを取り去り、インナー下ハーフ５ｂとシャッター４を露出された場合の様子（シャッターが開いた状態）を示す図である。
【図６】本発明の実施形態に係るディスクカートリッジのシャッター閉状態を示す図である。
【図７】本発明の実施形態に係るディスクカートリッジのシャッター開状態を示す図である。
【図８】本発明の実施形態に係るディスクカートリッジのシャッター全開状態を示す図である。
【図９】本発明の実施形態に係る誤挿入防止機能の正方向挿入時におけるシャッター閉時の状態を示す図である。
【図１０】本発明の実施形態に係る誤挿入防止機能の正方向挿入時におけるシャッター全開時の状態を示す図である。
【図１１】本発明の実施形態に係る誤挿入防止機能の逆方向挿入時における状態を示す図である。
【図１２】本発明の実施形態に係るインナーカートリッジとアウターカートリッジの段差部を示す拡大図である。
【図１３】本発明の実施形態に係るカートリッジで用いられる、シャッターのロック機構を示す図である。
【符号の説明】
【００４４】
１ カートリッジケース
２ スライダー
２ａ スライダー位置決め突起
３ ロック部材
４ シャッター
４ａ シャッター上板
４ｂ シャッター下板
４ｃ シャッター連結板
５ インナーカートリッジ
５ａ インナー上ハーフ
５ｂ インナー下ハーフ
６ アウターカートリッジ
６ａ アウター上ハーフ
６ｂ アウター下ハーフ
７ａ アウター上ヘッド挿入孔
７ｂ アウター下ヘッド、スピンドル挿入孔
１０ａ、１０ｂ 下凹部
１１ａ、１１ｂ 上凹部
１３ シャッター開閉アーム
１３ａ 開閉アームＡ
１３ｂ 開閉アームＢ
１４ 誤挿入防止アーム
【図１】
2008210429.tif 000003
【図２】
2008210429.tif 000004
【図３】
2008210429.tif 000005
【図４】
2008210429.tif 000006
【図５】
2008210429.tif 000007
【図６】
2008210429.tif 000008
【図７】
2008210429.tif 000009
【図８】
2008210429.tif 000010
【図９】
2008210429.tif 000011
【図１０】
2008210429.tif 000012
【図１１】
2008210429.tif 000013
【図１２】
2008210429.tif 000014
【図１３】
2008210429.tif 000015